(57)【要約】【課題】袋として利用されない無駄な部分を極力小さくするとともに、袋体の一対のフィルムの引裂き時に上方向、下方向、斜め方向のいずれの方向に引裂かれたとしても、引裂きの縁部がずれた状態で確実に開封でき、かつ、スムーズな引裂きが可能な易開封性包装袋を提供することである。【解決手段】一対のフィルム１０ａ、１０ｂを有する袋体１０の一方のフィルム１０ａの開封領域に第１引裂き誘導弱め線１１が形成され、他方のフィルム１０ｂの開封領域に１以上の第２引裂き誘導弱め線１２が形成され、前記第１引裂き誘導弱め線１１と前記第２引裂き弱め線１２とが、それらが延びる方向を横切る方向に、１本ずつ交互に配列される。【選択図】図１
2014218278.tif 000002
【特許請求の範囲】
【請求項１】
一対のフィルムを有する袋体の一方のフィルムの開封領域に、第１引裂き誘導弱め線が形成され、
他方のフィルムの開封領域に１以上の第２引裂き誘導弱め線が形成され、
前記第１引裂き誘導弱め線と前記第２引裂き弱め線とが、それらが延びる方向を横切る方向に、１本ずつ交互に配列された易開封性包装袋。
【請求項２】
第２引裂き誘導弱め線が複数形成された請求項１記載の易開封性包装袋。
【請求項３】
前記複数の第１引裂き誘導弱め線と前記第２引裂き誘導弱め線とが等間隔に配列された請求項１または２記載の易開封性包装袋。
【請求項４】
隣り合う前記第１引裂き誘導弱め線と前記第２引裂き誘導弱め線との間隔は、０．５ｍｍ〜５ｍｍの範囲である請求項１乃至３のいずれかに記載の易開封性包装袋。
【請求項５】
易開封開始部が、前記複数の第１引裂き誘導弱め線の配列幅の範囲内の前記袋体周縁部に形成されている請求項１乃至４のいずれかに記載の易開封性包装袋。
【請求項６】
前記易開封開始部が、前記の第１引裂き誘導弱め線の配列幅の範囲内、かつ、前記第２引裂き誘導弱め線の配列幅の範囲内の前記袋体周縁部に形成されている請求項５記載の易開封性包装袋。
【発明の詳細な説明】
【技術分野】
【０００１】
本発明は、縁部で接合した対向する一対のフィルムを有し、それら一対のフィルムのそれぞれに開封に際してフィルムの引裂きを誘導する引裂き誘導弱め線が形成された易開封性包装袋に関する。
【背景技術】
【０００２】
従来、特許文献１に記載の包装用袋体（易開封性包装袋）が知られている。この包装用袋体では、対向する一対の面（フィルム）の一方に複数の第１弱め線（引裂き誘導弱め線）が形成され、他方の面（フィルム）に複数の第２弱め線が形成され、前記複数の第１弱め線が、前記複数の第２弱め線に対して当該第２弱め線の垂直方向に間隔Ｗをもってずれるように配置されている。そして、前記複数の第２弱め線に最も近い第１弱め線の引裂き側端部に、開封作業をスムーズに開始するためのノッチが、両面（両フィルム）を貫通するように形成されている。
【０００３】
このような包装用袋体において、ノッチから袋体の両面（両フィルム）を引裂く際に、一方の面（フィルム）が複数の第１弱め線のいずれかに誘導されて引裂かれ、他方の面（フィルム）が複数の第２弱め線のいずれかに誘導されて引裂かれる。このように袋体の両面が第１弱め線及び第２弱め線に誘導されて引裂かれると、一方の面の引裂きの縁部と他方の面の引裂きの縁部がずれるようになる。このため、引裂きの縁部が上側にずれた面の当該縁部分をつまみ部分として、袋体を容易に開口させることができる。
【先行技術文献】
【特許文献】
【０００４】
【特許文献１】特開２００１−１５１２４６号公報
【発明の概要】
【発明が解決しようとする課題】
【０００５】
しかしながら、前述した従来の包装用袋体では、複数の第１弱め線の全体が複数の第２弱め線の全体に対して間隔Ｗをもってずれているので、弱め線が形成されて引裂かれ得る領域が広く、引裂きにより切り取られて袋体として利用されない無駄な部分が大きい。
【０００６】
また、複数の第１弱め線の全体と第２弱め線の全体とが一方向においてのみずれているので、ノッチから引裂きを開始したとき、一方の面での第１弱め線に向かう引裂きの方向と、他方の面での第２弱め線に向かう引裂きの方向と、力を入れる方向が少しでも異なると、袋体の両面をスムーズに引裂くことが難しい。
【０００７】
本発明は、このような事情に鑑みてなされたもので、袋として利用されない無駄な部分を極力小さくするとともに、一対のフィルムの引裂き開始時に、上方向、下方向、斜め方向のいずれの方向に引裂いても、引裂き縁部がずれた状態で確実に開封でき、かつ、スムーズな引裂きが可能な易開封性包装袋を提供するものである。
【課題を解決するための手段】
【０００８】
本発明に係る易開封性包装袋は、一対のフィルムを有する袋体の一方のフィルムの開封領域に、複数の第１引裂き誘導弱め線が形成され、他方のフィルムの開封領域に１以上の第２引裂き誘導弱め線が形成され、前記第１引裂き誘導弱め線と前記第２引裂き弱め線とが、それらが延びる方向を横切る方向に、１本ずつ交互に配列された構成となる。
【０００９】
また、本発明に係る易開封性包装袋は、
１．前記第２引裂き誘導弱め線が複数形成されていること、
２．前記第１引裂き誘導弱め線と前記第２引裂き誘導弱め線は、等間隔に配列されていること、 
３．隣り合う前記第１引裂き誘導弱め線と第２引裂き誘導弱め線との間隔が０．５ｍｍ〜５ｍｍであること、 
４．易開封開始部が、袋体の周縁部の第１引裂き誘導弱め線の配列幅の範囲内に形成されていること、
５．前記易開封開始部が、袋体の周縁部の第１引裂き誘導弱め線の配列幅の範囲内、かつ、第２引裂き誘導弱め線の範囲内に形成されていること、
が好ましい。
【発明の効果】
【００１０】
本発明に係る易開封性包装袋によれば、一対のフィルムにおいて、複数の第１引裂き誘導弱め線及び１以上の第２引裂き誘導弱め線の配列幅が比較的狭くなるので、袋として利用されない無駄な部分を極力小さくすることができる。また、前記第１引裂き誘導弱め線と前記第２引裂き弱め線とが１本ずつ交互に配列されているので、引裂き開始時に上方向、下方向、斜め方向といずれの方向へ引裂いても、確実に開封でき、かつ、スムーズな引裂きが可能である。更に、開封後は、引裂かれた第１引裂き誘導弱め線と第２引裂き誘導弱め線との間隔だけ、表側フィルムと裏側フィルムの引裂き縁部がずれた状態となり、ずれてできた突出部分が摘みとして利用でき、袋体の開口時の表側フィルムと裏側フィルムとの引き離しを容易に行うことができる。
【図面の簡単な説明】
【００１１】
【図１】本発明の実施の形態に係る易開封性包装袋の要部を示す平面図である。
【図２】図１に示す易開封性包装袋の表面フィルムと裏面フィルムとを並べて示す平面図である。
【図３】図１に示す易開封性包装袋における第１引裂き誘導弱め線、第２引裂き誘導弱め線及び切欠きの位置関係を拡大して示す図である。
【図４】図１に示す易開封性包装袋の引裂き途中の状態を示す図である。
【図５】図１に示す易開封性包装袋の引裂きの第１の例を示す図である。
【図６】図１に示す易開封性包装袋の引裂き後の開封状態を示す平面図である。
【図７】図１に示す易開封性包装袋の引裂き後の開口状態を示す図である。
【図８】図１に示す易開封性包装袋の引裂きの第２の例を示す図である。
【図９】図１に示す易開封性包装袋の引裂きの第３の例を示す図である。
【図１０】図１に示す易開封性包装袋の引裂きの第４の例を示す図である。
【図１１】図１に示す易開封性包装袋の引裂きの第５の例を示す図である。
【発明を実施するための形態】
【００１２】
本発明の易開封包装袋における実施の形態について図面を用いて説明する。
【００１３】
本発明の実施の一形態に係る易開封性包装袋は、図１及び図２に示すように構成される。なお、図１は、易開封性包装袋の要部を示す平面図であり、図２は、図１に示す易開封性包装袋１０の裏側フィルム１０ｂを、左縁部ＥＤＧ１０１を軸ＸにしてＡ方向に回動させて開き、表側フィルム１０ａと裏側フィルム１０ｂとを並べて示す平面図である。
【００１４】
図１において、易開封性包装袋（例えば、ファスナ付きパウチ）１０は、少なくとも表層が所定のプラスチックにて形成された略矩形状の表側フィルム１０ａ及び裏側フィルム１０ｂ（一対のフィルム）を有する。この易開封性包装袋１０は、それら表側フィルム１０ａ及び裏側フィルム１０ｂの４つの周縁部が加熱圧着により接合されて形成される左シール部１０１、上シール部１０２、右シール部１０３及び下シール部（図示されず）によって囲まれた袋体である。以下、易開封性包装袋１０を単に袋体１０という。
【００１５】
図１とともに図２に示すように、袋体１０の表側フィルム１０ａの上縁部ＥＤＧ１０２より下方の開封領域にフィルムの引裂きを誘導する３本の引裂き誘導弱め線（第１引裂き誘導弱め線という）１１１、１１２、１１３が所定の間隔をもって形成されている。これら３本の第１引裂き誘導弱め線１１１、１１２、１１３は、左縁部ＥＤＧ１０１と右縁部ＥＤＧ１０２との間で直線状に延びて形成されている。一方、裏側フィルム１０ｂの上縁部ＥＤＧ１０２より下方の開封領域には、フィルムの引裂きを誘導する２本の引裂き誘導弱め線（第２引裂き誘導弱め線）１２１、１２２が形成されている。これら２本の第２引裂き誘導弱め線１２１、１２２も、左縁部ＥＤＧ１０１と右縁部ＥＤＧ１０２との間で直線状に延びて形成されている。そして、前記２本の第２引裂き誘導弱め線１２１、１２２のうち、一方の第２引裂き誘導弱め線１２１が、２本の第１引裂き誘導弱め線１１１と１１２との間に配置されるとともに、他方の引裂き誘導弱め線１２２が、２本の第１引裂き誘導弱め線１１２と１１３との間に配置される。これにより、袋体１０において、３本の第１引裂き誘導弱め線１１１、１１２、１１３と２本の第２引裂き誘導弱め線１２１、１２２とが、それらが延びる方向を横切る方向（この場合、垂直方向）に、１本ずつ交互に配列されることになる。なお、第１引裂き誘導弱め線１１１〜１１３を総称する場合、参照符号「１１」を用い、第２引裂き誘導弱め線１２１、１２２を総称する場合、参照符号「１２」を用いる。
【００１６】
なお、上述した第１引裂き誘導弱め線１１及び第２引裂き誘導弱め線１２は、公知の手法、例えば、レーザ光線によってプラスチックフィルム（表側フィルム１０ａ、裏側フィルム１０ｂ）の表層に溝を形成して当該プラスチックフィルムを線状に弱化させることにより形成することができる。また、袋体１０（表側フィルム１０ａ、裏側フィルム１０ｂ）は、レーザ加工によって第１引裂き誘導弱め線１１及び第２引裂き誘導弱め線１２を形成することを考慮すると、少なくともレーザ吸収層及びヒートシール層の２層を含む多層構造であることが好ましい。
【００１７】
更に、袋体１０の周縁部における左シール部１０１の３本の第１引裂き誘導弱め線１１１〜１１３の配列幅Ｗ１の範囲の中央位置に左縁部ＥＤＧ１０１から切り込まれたノッチ１４（易開封開始部）が前記第１引裂き誘導弱め線１１１〜１１３のうちの中央の第１引裂き誘導弱め線１１２に重なるように形成されている。このノッチ１４は、図２に示すように、表側フィルム１０ａにおける切込み部１４ａと裏側フィルム１０ｂにおける切込み部１４ｂとが重なって形成されている。このノッチ１４は、２本の第２引裂き誘導弱め線１２１、１２２の配列幅Ｗ２（図２参照）の範囲の中央にも位置している。また、右シール部１０３の３本の第１引裂き誘導弱め線１１１〜１１３の配列幅Ｗ１の範囲の中央位置に右縁部ＥＤＧ１０３から切り込まれたノッチ１５（易開封開始部）が前記中央の第１引裂き誘導弱め線１１２に重なるように形成されている。このノッチ１５もまた、図２に示すように、表側フィルム１０ａにおける切込み部１５ａと裏側フィルム１０ｂにおける切込み部１５ｂとが重なって形成されている。このような構成により、ノッチ１４または１５から引裂きを開始すると、その引裂きがより早いタイミングで、表側フィルム１０ａでは第１引裂き誘導弱め線１１のいずれかによって誘導され、また、裏側フィルム１０ｂでは第２引裂き誘導弱め線１２のいずれかによって誘導されるので、易開封性を向上させることができる。
【００１８】
前述したように１本ずつ交互に配列された３本の第１引裂き誘導弱め線１１１、１１２、１１３（表側フィルム１０ａに形成）及び２本の第２引裂き誘導弱め線１２１、１２２（裏側フィルム１０ｂに形成）が形成された開封領域の下方側（上シール部１０２から離れる側）の所定領域には、左シール部１０１と右シール部１０３との間で直線的に延びるプラスチックファスナ１３が設けられている。プラスチックファスナ１３は、表側フィルム１０ａの内側面に設けられた雄部材１３ａと、裏側フィルム１０ｂの内側面に前記雄部材１３ａに対向して設けられた雌部材１３ｂとから構成されている。そして、袋体１０のプラスチックファスナ１３より下方部分に内容物が充填され、雄部材１３ａと雌部材１３ｂとが嵌め合わされて、プラスチックファスナ１３が閉じられる。
【００１９】
表側フィルム１０ａに形成された３本の第１引裂き誘導弱め線１１１、１１２、１１３と、裏側フィルム１０ｂに形成された２本の第２引裂き誘導弱め線１２１、１２２との配置関係について、詳述する。
【００２０】
図３に拡大して示すように、３本の第１引裂き誘導弱め線１１１、１１２、１１３は、間隔ａをもって配列され、２本の第２引裂き弱め線１２１、１２２は、間隔ｂをもって配列されている。２本の第２引裂き誘導弱め線１２１、１２２のうち一方の第２引裂き誘導弱め線１２１は、２本の第１引裂き誘導弱め線１１１、１１２のそれぞれから等距離Δの位置に、即ち、２本の第１引裂き誘導弱め線１１１、１１２の中央の位置に配置されている。また、他方の第２引裂き誘導弱め線１２２も、２本の第１引裂き誘導弱め線１１２、１１３のそれぞれから等距離Δの位置に、即ち、２本の第１引裂き誘導弱め線１１２、１１３の中央の位置に配置されている。従って、３本の第１引裂き誘導弱め線１１１、１１２、１１３と２本の第２引裂き誘導弱め線１２１、１２２とが、等間隔Δにて、１本ずつ交互に配置されている。
【００２１】
このような構成において、袋体１０のスムーズな引裂き（易開封性）を考慮すると、第１引裂き誘導弱め線１１と第２引裂き誘導弱め線１２との間隔Δは等間隔で、かつ、小さいことが好ましい。一方、開封後の表側フィルム１０ａと裏側フィルム１０ｂとの引き離し易さ（開口し易さ）を考慮すると、前記間隔Δは大きいことが好ましい。これらの点から、隣り合う第１引裂き誘導弱め線１１と第２引裂き誘導弱め線１２との間隔Δは、０．５ｍｍ〜５ｍｍの範囲であることが好ましい。
【００２２】
なお、第１引裂き誘導弱め線１１１、１１２、１１３の間隔ａは、例えば、１．５ｍｍに設定され、第２引裂き誘導弱め線１２１、１２２の間隔ｂは、例えば、前記間隔ａと同じ１．５ｍｍに設定される。この場合、第１引裂き誘導弱め線１１と第２引裂き誘導弱め線１２との間隔Δは、０．７５ｍｍとなる。
【００２３】
上述した袋体１０は、次のようにして開封することができる。
【００２４】
例えば、図４に示すように、袋体１０の左シール部１０１に形成されたノッチ１４を境にして、その上側部分を右シール部１０３の方向に引っ張ることにより、袋体１０が引裂かれる。その際、例えば、若干上側に力をかけて引裂きが開始されると、図５に示すように、表側フィルム１０ａが、ノッチ１４からそのまま第１引裂き誘導弱め線１１２に誘導されて引き裂かれる（破線Ｌ１参照）とともに、裏側フィルム１０ｂが、ノッチ１４から若干上方に引裂かれ、その引裂きが第２引裂き弱め線１２１に達した後に、その第２引裂き誘導弱め線１２１に誘導されて引裂かれる（破線Ｌ２参照）。この場合、表側フィルム１０ａの引裂きを誘導する第１引裂き誘導弱め線１１２と、裏側フィルム１０ｂの引裂きを誘導する第２引裂き誘導弱め線１２１との間隔Δが、例えば、０．７５ｍｍであるので、図４に示すように、裏側フィルム１０ｂの引裂きの縁部ＥＤＧＣ１０ｂが、表側フィルム１０ａの引裂きの縁部ＥＤＧＣ１０ａに対して上側にずれた状態で、表側フィルム１０ａと裏側フィルム１０ｂとが引裂かれていく。そして、表側フィルム１０ａ及び裏側フィルム１０ｂが完全に引裂かれると、袋体１０は、図６に示すように、表側フィルム１０ａの引裂きの縁部ＥＤＧＣ１０ａと裏側フィルム１０ｂの引裂きの縁部ＥＤＧＣ１０ｂとが間隔Δだけずれた状態で、開封される。
【００２５】
この種の袋体１０においては、一般的に、プラスチックファスナ１３の上側部分には内容物が入っておらず、表側フィルム１０ａと裏側フィルム１０ｂとが密着していることが多い。よって、上述した引裂き誘導弱め線が表側フィルム１０ａと裏側フィルム１０ｂとで同一箇所に形成されていると、開封後の引裂き縁部において、摘み部分がなく表側フィルム１０ａと裏側フィルム１０ｂとを引き離しづらい。しかし、上述した袋体１０においては、図６に示すように、開封後の裏側フィルム１０ｂの引裂きの縁部ＥＤＧＣ１０ｂが表側フィルム１０ａの引裂きの縁部ＥＤＧＣ１０ａに対して間隔Δだけずれている。そのため、袋体１０の表側フィルム１０ａの引裂きの縁部ＥＤＧＣ１０ａから突出した裏側フィルム１０ｂの突出部分が摘みとして利用でき、表側フィルム１０ａと裏側フィルム１０ｂとの引き離しが容易に行われる。
【００２６】
そして、図７に示すように、上記のように開封された袋体１０の表側フィルム１０ａと裏側フィルム１０ｂとを引き離しつつ、プラスチックファスナ１３の雄部材１３ａと雌部材１３ｂとの噛み合いを解除させることにより、袋体１０を開口させることができる。この状態で内容物を取り出すことができる。
【００２７】
また、図８に示すように、ノッチ１４から引裂いて袋体１０を開封する際に、更に強く上側に力をかけつつ引裂きが開始されると、表側フィルム１０ａが、ノッチ１４から上方に引裂かれ、その引裂きが第１引裂き誘導弱め線１１１に達した後に、その第１引裂き誘導弱め線１１１に誘導されて引裂かれる（破線Ｌ１参照）とともに、裏側フィルム１０ｂが、ノッチ１４から若干上方に引裂かれ、その引裂きが第２引裂き誘導弱め線１２１に達した後に、その第２引裂き誘導弱め線１２１に誘導されて引裂かれる（破線Ｌ２参照）。この場合、袋体１０が完全に開封されると、表側フィルム１０ａの引裂きの縁部（第１引裂き誘導弱め線１１１に対応）が裏側フィルム１０ｂの引裂きの縁部（第２引裂き誘導弱め線１２１に対応）に対して間隔Δだけずれているので、裏側フィルム１０ｂの引裂きの縁部から突出した表側フィルム１０ａの突出部分が摘みとして利用でき、袋体１０の開口時に、表側フィルム１０ａと裏側フィルム１０ｂとの引き離しが容易に行われる。
【００２８】
また、図９に示すように、ノッチ１４から引裂いて袋体１０を開封する際に、上述したのとは逆に、下側に力をかけつつ引裂きが開始されると、表側フィルム１０ａが、ノッチ１４が重なる第１引裂き誘導弱め線１１２に誘導されて引き裂かれる（破線Ｌ１参照）とともに、裏側フィルム１０ｂが、ノッチ１４から若干下方に引裂かれ、その引裂きが第２引裂き弱め線１２２に達した後に、その第２引裂き誘導弱め線１２２に誘導されて引裂かれる（破線Ｌ２参照）。また、更に下方に向ける力が強いと、図１０に示すように、表側フィルム１０ａが、ノッチ１４から下方に引裂かれ、その引裂きが第１引裂き誘導弱め線１１３に達した後に、その第１引裂き誘導弱め線１１３に誘導されて引裂かれる（破線Ｌ１参照）とともに、裏側フィルム１０ｂが、ノッチ１４から若干下方に引裂かれ、その引裂きが第２引裂き誘導弱め線１２２に達した後に、その第２引裂き誘導弱め線１２２に誘導されて引裂かれる（破線Ｌ２参照）。
【００２９】
これらの場合においても、前述したのと同様に、袋体１０が完全に開封されると、表側フィルム１０ａの引裂きの縁部（第１引裂き誘導弱め線１１２、１１３に対応）と裏側フィルム１０ｂの引裂きの縁部（第２引裂き誘導弱め線１２２に対応）とが間隔Δだけずれているので、裏側フィルム１０ｂまたは表側フィルム１０ａの突出部分が摘みとして利用でき、袋体１０の開口時に、表側フィルム１０ａと裏側フィルム１０ｂとの引き離しが容易に行われる。
【００３０】
更に、図１１に示すように、ノッチ１４から引裂いて袋体１０を開封する際に、斜め方向に力をかけて引裂きが開始されると、表側フィルム１０ａが、ノッチ１４から上方に引裂かれ、その引裂きが第１引裂き誘導弱め線１１１に誘導されて引き裂かれる（破線Ｌ１参照）とともに、裏側フィルム１０ｂが、ノッチ１４から若干下方に引裂かれ、その引裂きが第２引裂き弱め線１２２に達した後に、その第２引裂き誘導弱め線１２２に誘導されて引裂かれる（破線Ｌ２参照）。このような場合は、袋体１０が完全に開封されると、表側フィルム１０ａの引裂きの縁部（第１引裂き誘導弱め線１１１に対応）と裏側フィルム１０ｂの引裂きの縁部（第２引裂き誘導弱め線１２２に対応）とのずれが間隔Δの３倍となり、表側フィルム１０ａの間隔Δの３倍の突出部分が摘みとして利用でき、表側フィルム１０ａと裏側フィルム１０ｂとのを引き離しがより容易に行われる。
【００３１】
上述した袋体（易開封性包装袋）１０においては、表側フィルム１０ａに形成された３本の第１引裂き誘導弱め線１１１、１１２、１１３と、裏側フィルム１０ｂに形成された２本の第２引裂き誘導弱め線１２１、１２２とが１本ずつ交互に配列されているので（図１及び図２参照）、第１引裂き誘導弱め線１１及び第２引裂き誘導弱め線１２の全体としての配列幅（この場合、第１引裂き誘導弱め線１１１〜１１３の配列幅Ｗ１と同じ）が比較的狭くなる。このため、引裂きにより取り除かれて袋として利用されない無駄な部分（図４において、めくれ上がっている部分）を極力小さくすることができる。
【００３２】
また、表側フィルム１０ａに形成された３本の第１引裂き誘導弱め線１１及び裏側フィルム１０ｂに形成された２本の第２引裂き誘導弱め線１２が１本ずつ交互に配列されており、その配列幅Ｗ１内にノッチ１４が配置されているので、引裂き時に上方向、下方向、斜め方向に力のいずれの方向に引裂かれたとしても、必ずいずれかの引裂き誘導弱め線が引裂かれるため確実に開封でき、かつ、スムーズな引裂きが可能となる。更に開封後は、引裂かれた第１引裂き誘導弱め線１１と第２引裂き弱め線１２との間隔だけ、表側フィルム１０ａと裏側フィルム１０ｂの引裂き縁部がずれた状態となり、ずれてできた突出部分が摘みとして利用でき、袋体１０の開口時の表側フィルム１０ａと裏側フィルム１０ｂとの引き離しを容易に行うことができる。
【００３３】
なお、上述した袋体１０においては、裏面フィルム１０ｂに形成される第２引裂き誘導弱め線１２の数は、２本であったが、１本以上あればよい。裏面フィルム１０ｂに１本の第２引裂き誘導弱め線１２が形成される場合、表面フィルム１０ｂには２本の第１引裂き誘導弱め線１１が形成される。この場合、表面フィルム１０ａに形成された２本の第１引裂き誘導弱め線１１と裏面フィルム１０ｂに形成された１本の第２引裂き誘導弱め線１２とが交互に配列されることになる。また、同様に、表面フィルム１０ａには、４本以上の第１引裂き誘導弱め線１１を形成するようにしてもよい。この場合、第１引裂き誘導弱め線線１１と第２引裂き誘導弱め線１２とが１本ずつ交互に配列されるように第２引裂き誘導弱め線１２の数が決められる。
【００３４】
第１引裂き誘導弱め線線１１及び第２引裂き誘導弱め線１２のそれぞれは、前述したような連続的な直線状に限定されず、ドット状であっても、破線状の複数の切込み線で構成してもよく、また、曲線状であってもよい。更に、第１引裂き誘導弱め線１１の間隔ａや第２引裂き誘導弱め線１２の間隔ｂは、一定値（等間隔）でなくてもよい。
【００３５】
なお、ノッチ１４（ノッチ１５）が形成される位置は、第１引裂き誘導弱め線１１の配列幅Ｗ１の範囲内であれば、第２引裂き誘導弱め線１２の配列幅Ｗ２の範囲の外側であってもよい。
【産業上の利用可能性】
【００３６】
本発明に係る易開封性包装袋は、袋として利用されない無駄な部分を極力小さくするとともに、袋体の一対のフィルムの引裂き時に、上方向、下方向、斜め方向のいずれの方向に引裂かれたとしても、引裂き縁部がずれた状態で確実に開封でき、かつ、スムーズな引裂きが可能であるという効果を有し、袋体の周縁部で接合した一対のフィルムを有し、それら一対のフィルムの開封に際してフィルムの引裂きを誘導する引裂き誘導弱め線が形成された易開封性包装袋として有用である。
【符号の説明】
【００３７】
１０  易開封性包装袋（袋体）
１１、１１１、１１２、１１３  第１引裂き誘導弱め線
１２、１２１、１２２  第２引裂き誘導弱め線
１３  プラスチックファスナ
１３ａ  雄部材
１３ｂ  雌部材
１４、１５  ノッチ
１０１  左シール部
１０２  上シール部
１０３  右シール部
【図１】
2014218278.tif 000003
【図２】
2014218278.tif 000004
【図３】
2014218278.tif 000005
【図４】
2014218278.tif 000006
【図５】
2014218278.tif 000007
【図６】
2014218278.tif 000008
【図７】
2014218278.tif 000009
【図８】
2014218278.tif 000010
【図９】
2014218278.tif 000011
【図１０】
2014218278.tif 000012
【図１１】
2014218278.tif 000013
【手続補正書】
【提出日】平成25年5月22日(2013.5.22)
【手続補正１】
【補正対象書類名】特許請求の範囲
【補正対象項目名】請求項１
【補正方法】変更
【補正の内容】
【請求項１】
一対のフィルムを有する袋体の一方のフィルムの開封領域に、複数の第１引裂き誘導弱め線が形成され、
他方のフィルムの開封領域に１以上の第２引裂き誘導弱め線が形成され、
前記第１引裂き誘導弱め線と前記第２引裂き弱め線とが、それらが延びる方向を横切る方向に、１本ずつ交互に配列された易開封性包装袋。